(57)【要約】      （修正有）【課題】複数の種子を圃場の一か所に集中して落下させやすい真空播種機を提供する。【解決手段】吸着板１２０は、円板部１２０ｘと円板部１２０ｙとが環状の金網１２３を挟みつつ貼り合わされることで構成されている。金網１２３の目開きは吸着孔１２１の径より小さい。吸着板１２０には、種子が通過可能な大きさを有する吸着孔１２１が形成されている。ホッパーから供給された種子は、吸着板１２０の吸着孔１２１に吸着する。１個の吸着孔１２１には複数個の種子が吸着する。金網１２３は、種子が吸着孔１２１を通過するのを規制する。吸着孔１２１に種子が吸着した状態で吸着板１２０が回転すると、吸着孔１２１が所定の位置に到達したときに種子の吸着が解除される。これにより、複数個の種子がまとめて吸着孔１２１から離脱し、下方の地面へと落下する。【選択図】図３
0003224225.tif 000002
【実用新案登録請求の範囲】
【請求項１】
種子を供給する供給手段と、
前記供給手段から供給された種子が吸着する複数の吸着孔が形成された吸着部材と、
前記吸着部材を回転させる回転駆動手段と、を備えており、
前記吸着孔が、種子が通過可能な大きさを有しており、
種子と接触することで種子が前記吸着孔を通過するのを規制する規制部材が前記吸着孔に設けられており、
前記回転駆動手段による前記吸着部材の回転方向に関して第１の位置にある前記吸着孔のそれぞれに複数の前記種子が吸着すると共に、前記第１の位置とは異なる第２の位置にある前記吸着孔において吸着を解除して当該吸着孔から前記複数の種子を落下させることを特徴とする真空播種機。
【請求項２】
前記規制部材が、前記吸着孔の径より小さい目開きを有する、前記吸着孔に張られた網部材であることを特徴とする請求項１に記載の真空播種機。
【請求項３】
前記吸着部材が、
前記吸着孔を構成する部分孔がそれぞれに形成され、互いの間に前記規制部材を挟んだ第１及び第２の板部品を有していることを特徴とする請求項１又は２に記載の真空播種機。
【考案の詳細な説明】
【技術分野】
【０００１】
本考案は、真空播種機に関する。
【背景技術】
【０００２】
従来、特許文献１のように、吸着部材に形成された１個の孔に１個の種子が吸着した状態で吸着部材を回転させた後、孔における種子の吸着を解除し、種子を落下させる真空播種機が知られている。特許文献１では、複数の種子をまとめて落下させるため、まとめて落下させる種子の数と同数の孔が互いに近接するように吸着部材に形成されている。
【先行技術文献】
【特許文献】
【０００３】
【特許文献１】特開２００２−１７１８０５号公報
【考案の概要】
【考案が解決しようとする課題】
【０００４】
複数の種子を圃場の一か所にできるだけ集中して落下させたい場合がある。特許文献１の吸着部材によると、１個の孔に１個の種子が吸着する。このため、複数の種子を集中して落下させるには吸着孔の形成位置を吸着部材上でできるだけ近接させる必要がある。しかしながら、孔の形成位置を近接させるのは限界がある。よって、複数の種子を圃場の一か所に集中して落下させるのにも自ずと限界がある。
【０００５】
本考案の目的は、複数の種子を圃場の一か所に集中して落下させやすい真空播種機を提供することにある。
【課題を解決するための手段】
【０００６】
本考案の真空播種機は、種子を供給する供給手段と、前記供給手段から供給された種子が吸着する複数の吸着孔が形成された吸着部材と、前記吸着部材を回転させる回転駆動手段と、を備えており、前記吸着孔が、種子が通過可能な大きさを有しており、種子と接触することで種子が前記吸着孔を通過するのを規制する規制部材が前記吸着孔に設けられており、前記回転駆動手段による前記吸着部材の回転方向に関して第１の位置にある前記吸着孔のそれぞれに複数の前記種子を吸着させると共に、前記第１の位置とは異なる第２の位置にある前記吸着孔において吸着を解除して当該吸着孔から前記複数の種子を落下させる。
【０００７】
本考案の真空播種機によると、種子が通過可能な大きさの吸着孔が吸着部材に形成されていると共に、種子が吸着孔を通過するのを規制する規制部材が設けられている。これにより、各吸着孔に複数の種子が吸着するように構成されている。規制部材としては、例えば、網やひも状の部材等を使用できる。これにより、吸着孔による吸着の機能が大きく損なわれることなく種子の通過が規制される。また、１個の吸着孔に複数の種子を吸着させるので、狭い領域に集中して種子を吸着させることができる。これらにより、複数の吸着孔を吸着部材における近接した位置に形成する構成と比べ、複数の種子を圃場の一か所に集中して落下させる構成が実現しやすい。
【０００８】
また、本考案においては、前記規制部材が、前記吸着孔の径より小さい目開きを有する、前記吸着孔に張られた網部材であることが好ましい。これによると、簡易な構成で規制部材を実現できる。
【０００９】
また、本考案においては、前記吸着部材が、前記吸着孔を構成する部分孔がそれぞれに形成され、互いの間に前記規制部材を挟んだ第１及び第２の板部品を有していることが好ましい。これによると、各吸着孔において、部分孔同士の間で規制部材が種子の通過を規制する構成が実現する。
【図面の簡単な説明】
【００１０】
【図１】本考案の一実施形態に係る真空播種機の側面図であり、部分的に内部構造を表している。
【図２】図１の真空播種機に設けられた播種部の分解斜視図である。
【図３】図２の播種部に設けられた吸着板の分解斜視図である。
【考案を実施するための形態】
【００１１】
以下、本考案の一実施形態に係る真空播種機１（以下、播種機１という。）について、図１〜図３を参照しつつ説明する。播種機１は、トラクター等によってけん引されることで前進する装置である。播種機１は、図１に示すように、本体フレーム２と、本体フレーム２に支持されたホッパー３（本考案における供給手段）、主車輪４、溝形成ゲージ５、除石板６、覆土板７及び播種部１００とを備えている。本体フレーム２は、複数の金属製の枠部材から構成されている。ホッパー３は樹脂製の容器であり、本体フレーム２の上部に支持されている。ホッパー３内には種子Ｓが収容される。ホッパー３の下部には種子Ｓの供給口３ａが下方に向けて形成されている。ホッパー３内の種子Ｓは供給口３ａを通じて下方の播種部１００へと供給される。播種部１００は、ホッパー３からの種子Ｓを複数個ずつまとめて下方へと落下させる。播種部１００の下部にはシュート１３０が設けられている。播種部１００から落下した種子Ｓは、シュート１３０に案内されつつ地面へと落下する。播種部１００の詳細は後述する。
【００１２】
主車輪４、溝形成ゲージ５、除石板６及び覆土板７は本体フレーム２の下部に支持されている。主車輪４は地面と接触し、播種機１全体を地面上で支持する車輪である。溝形成ゲージ５は、地面と接触し、種子Ｓが落下する位置に走行方向に沿った溝を地面上に形成する部材である。当該溝内にはシュート１３０によって案内された種子Ｓが落下する。除石板６は、溝形成ゲージ５の前方に配置されており、平面視において先端が前方に向いたＶ字の形状を有している。除石板６は、前方への移動に伴って地面上の石等の障害物と接触し、その障害物を機体の両脇にかき寄せる。覆土板７は、溝形成ゲージ５の後方に配置されている。覆土板７は、前方への移動に伴い、種子Ｓが落下した後の溝に土を被せる。
【００１３】
以下、播種部１００について詳細に説明する。播種部１００は、図２に示すように、筐体１０１、駆動板１０４（本考案における回転駆動手段）、種子選択板１０６、蓋部１１０及び吸着板１２０（本考案における吸着部材）を有している。筐体１０１は、円筒状の箱型の概略形状を有する合成樹脂製の容器である。筐体１０１には、機体の側方に向かって開口した内部空間１０３が形成されている。筐体１０１の上部には吸引部１０２が形成されている。吸引部１０２内には吸引用の流路１０２ａが形成されている。流路１０２ａは、筐体１０１の内部空間１０３と連通している。吸引部１０２には、チューブ１０を通じてポンプ９が接続されている。ポンプ９は、吸引部１０２を通じて内部空間１０３内の空気を吸引し、内部空間１０３内を真空に保持する。筐体１０１の開口には被覆板１０５が固定されている。被覆板１０５は、内部空間１０３の開口を部分的に被覆している。
【００１４】
駆動板１０４は、内部空間１０３の開口付近に配置された車輪状の部材である。駆動板１０４は、軸部１０４ａ、リム部１０４ｂ及び軸部１０４ａからリム部１０４ｂに向かって放射状に延びた複数のアーム部１０４ｃを有している。リム部１０４ｂには複数の突起１０４ｄが、リム部１０４ｂの延びる方向に関して等間隔に形成されている。軸部１０４ａは、図示しない伝達機構を通じて主車輪４の車軸と接続されている。伝達機構は、播種機１の前進に伴って生じる主車輪４の車軸の回転運動を軸部１０４ａに伝達する。これにより、駆動板１０４は、図２の方向Ｒに回転する。伝達機構は、播種機１の前進速度に関わらず、主車輪４の回転回数と駆動板１０４の回転回数との比があらかじめ設定された値となるように主車輪４の車軸の回転運動を軸部１０４ａに伝達する。例えば、主車輪４が１回転する間に駆動板１０３が２回転するように主車輪４の車軸の回転運動が軸部１０４ａに伝達される。
【００１５】
吸着板１２０は駆動板１０４に固定されており、駆動板１０４の回転に連動して回転する。吸着板１２０は、図３に示すように、円板部１２０ｘ及び１２０ｙ（本考案における第１及び第２の板部品）並びにこれらの間に張られた金網１２３（本考案における規制部材）を有している。円板部１２０ｘ及び１２０ｙは、いずれも円板型の部材である。円板部１２０ｘの外縁付近には、複数の円い貫通孔１２１ｘ（本考案における部分孔）が円板部１２０ｘの円周方向に沿って等間隔に形成されている。貫通孔１２１ｘは、１個の種子Ｓが通過可能な大きさを有している。貫通孔１２１ｘよりやや円板部１２０ｘの中心に近い位置には、複数の円い貫通孔１２２ｘが円周方向に沿って等間隔に形成されている。貫通孔１２２ｘは、駆動板１０４の突起１０４ａに対応する位置に形成されている。円板部１２０ｘの中心には貫通孔１２４ｘが形成されている。円板部１２０ｙは、円板部１２０ｘと同じ大きさを有しており、円板部１２０ｘとちょうど重なるように配置されている。円板部１２０ｙにおいて、円板部１２０ｘの貫通孔１２１ｘ及び１２２ｘと対応する位置には、貫通孔１２１ｘ及び１２２ｘと同じ大きさの円い貫通孔１２１ｙ（本考案における部分孔）及び１２２ｙが形成されている。円板部１２０ｙの中心には貫通孔１２４ｙが形成されている。円板部１２０ｘと円板部１２０ｙとは、金網１２３を挟むように互いに貼り合わされている。これにより、貫通孔１２１ｘと貫通孔１２１ｙが金網１２３を挟んで連結して種子Ｓの吸着孔１２１が形成されている。また、貫通孔１２２ｘと貫通孔１２２ｙが連結して、駆動板１０４の突起１０４ｄが挿入される挿入孔１２２が形成されている。貫通孔１２４ｘ及び１２４ｙには駆動板１０４の軸部１０４ａが挿入される。
【００１６】
金網１２３は環状の金属製の部材である。金網１２３は、図３の一点鎖線Ａに示す位置に配置されている。これにより、金網１２３は、貫通孔１２１ｘと貫通孔１２１ｙの間に位置している。金網１２３の目開きは、吸着孔１２１の径より小さく、且つ、１個の種子Ｓが網目を通過できないような大きさに調整されている。金網１２３は、吸着孔１２１に吸着した種子Ｓと接触することで、種子Ｓが吸着孔１２１を通過するのを規制する。
【００１７】
吸着孔１２１からは、内部空間１０３と筐体１０１の外部との気圧の違いにより、筐体１０１外の空気が内部空間１０３へと吸引される。これにより、後述の蓋部１１０内に形成された種子だまり１１５内の種子Ｓが、図１に示すように吸着孔１２１に吸着する。なお、図１は、一部の吸着孔１２１についてのみ、種子Ｓが吸着した状況を示している。吸着孔１２１は上記の通り１個の種子Ｓが通過可能な大きさを有している。このため、１個の吸着孔１２１を通じて比較的大きな吸引力を種子Ｓに作用させることができる。これによって、１個の吸着孔１２１当たりに複数個の種子Ｓが吸着孔１２１に吸着する。一方、吸着孔１２１に吸着した種子Ｓは、貫通孔１２１ｘと貫通孔１２１ｙの間に設けられた金網１２３の網目によって吸着孔１２１を通過するのが規制されている。これにより、種子Ｓは吸着孔１２１に吸着した状態が維持される。
【００１８】
種子選択板１０６は、図２に示すように、複数の刃１０６ａが形成された平板部材である。種子選択板１０６は、刃１０６ａが吸着板１２０の吸着孔１２１に吸着された種子Ｓに引っかかるように筐体１０１に支持されている。種子選択板１０６は、吸着板１２０が回転する際に吸着孔１２１に吸着した複数個の種子Ｓを刃１０６ａによって擦り落とす。これによって１個の吸着孔１２１に吸着した種子Ｓの個数が所定の範囲に調整される。
【００１９】
蓋部１１０は、図２に示すように、筐体１０１に向かって開口した円筒状の箱型の概略形状を有する合成樹脂製の部材である。なお、図１では、播種部１００における蓋部１１０の図示を省略している。蓋部１１０は、図２の一点鎖線の矢印に示すように筐体１０１と向かい合わせに固定されている。蓋部１０１の内部空間は外壁１１０ａ及び側壁１１０ｂによって画定されている。蓋部１０１内には、ホッパー３から供給された種子Ｓが通過する種子通路１１１が形成されている。種子通路１１１は、水平断面がコの字型の概略形状を有しており、上方及び下方のそれぞれに向かって開口している。種子通路１１１は、側壁１１０ｂから筐体１０１に向かって突出している。また、蓋部１０１内には、Ｖ字型の概略形状を有する仕切り壁１１２が形成されている。仕切り壁１１２は、側壁１１０ｂから筐体１０１に向かって突出している。種子通路１１１の下方には、仕切り壁１１２によって仕切られた種子だまり１１５が形成されている。
【００２０】
図２の曲線状の矢印に沿って種子通路１１１を通過した種子Ｓは種子だまり１１５へと到達する。種子Ｓは、上記の通り、種子だまり１１５に一旦たまった後、吸着板１２０の吸着孔１２１に吸着する。なお、種子Ｓが吸着孔１２１に吸着する位置は、本考案における第１の位置に対応する。吸着孔１２１に吸着した種子Ｓは、吸着板１２０の回転に伴ってＲ方向に移動する。移動途中、上記の通り、種子選択板１０６によって吸着孔１２１に吸着した一部の種子Ｓが擦り落とされる。これによって、１個の吸着孔１２１当たりに適切な個数の種子Ｓが吸着した状態で、これらの種子ＳがＲ方向に関して被覆板１０４の位置（本考案における第２の位置）まで到達する。この位置では、筐体１０１の内部空間１０３を部分的に被覆する被覆板１０４によって吸着孔１２１を通じた吸引作用が一時的に弱められる。これによって、吸着孔１２１における種子Ｓの吸着が解除される。つまり、吸着孔１２１が被覆板１０４の位置に到達するごとに、１個の吸着孔１２１に吸着した複数個の種子Ｓが吸着孔１２１から同時に離脱する。吸着孔１２１から離脱した複数個の種子Ｓは、下方のシュート１３０に案内されて地面へとまとめて落下する。
【００２１】
以上説明した本実施形態によると、種子Ｓが通過可能な大きさの吸着孔１２１が吸着板１２０に形成されていると共に、種子Ｓが吸着孔１２１を通過するのを規制する金網１２３が吸着板１２０に設けられている。これにより、各吸着孔１２１に複数個の種子Ｓが吸着するように構成されている。金網１２３は、空気を流通させやすい網目が形成されている。このため、吸着孔１２１による吸着の機能が大きく損なわれることなく種子Ｓの通過が金網１２３によって規制される。また、１個の吸着孔１２１に複数個の種子Ｓを吸着させるので、狭い領域に集中して種子Ｓを吸着させることができる。したがって、複数個の種子Ｓを圃場の一か所に集中して落下させる構成が実現しやすい。
【００２２】
なお、上記の通り、主車輪４の回転回数と駆動板１０４の回転回数との比があらかじめ設定された値となるように主車輪４の車軸の回転運動が軸部１０４ａに伝達される。駆動板１０４の回転回数は吸着板１２０の回転回数と一致する。また、主車輪４が１回転すると、それに応じた距離だけ播種機１が前進する。したがって、播種機１の前進距離とその間に吸着板１２１の回転回数とが、播種機１の前進速度に関わらず、対応していることになる。吸着板１２０には、回転方向であるＲ方向に関して一定の間隔で吸着孔１２１が形成されている。このため、主車輪４の回転回数と駆動板１０４の回転回数との比に応じた所定の距離だけ播種機１が前進するたびに、複数個の種子Ｓがまとめて播種部１２０から地面へと落下することになる。つまり、圃場における播種位置同士の間隔は、主車輪４の回転回数と駆動板１０４の回転回数との比に応じた大きさとなる。したがって、この播種位置同士の間隔は、主車輪４の回転回数と駆動板１０４の回転回数との比を変更することで調整可能である。また、Ｒ方向に関する吸着孔１２１同士の間隔を変更することでも調整可能である。
【００２３】
＜変形例＞
以上は、本考案の好適な実施形態についての説明であるが、本考案は上述の実施形態に限られるものではなく、課題を解決するための手段に記載された範囲の限りにおいて様々な変更が可能なものである。
【００２４】
例えば、上述の実施形態においては、吸着孔１２１において種子Ｓの通過を規制する部材として金網１２３が設けられている。しかし、かかる部材として、金網１２３以外の部材が設けられていてもよい。例えば、金属製ではなく樹脂製の網が金網１２３の代わりに設けられてもよい。また、１本又は複数本の樹脂製の細い紐や針金が金網１２３の代わりに設けられてもよい。
【００２５】
また、上述の実施形態においては、種子Ｓの通過を規制する部材としての金網１２３が円板部１２０ｘと円板部１２０ｙの間に挟まれることで設けられている。つまり、かかる部材が吸着孔１２１の途中に設けられている。しかし、かかる部材が吸着孔１２１の開口部に設けられてもよい。
【符号の説明】
【００２６】
Ｓ  種子
１  真空播種機（播種機）
３  ホッパー
１００  播種部
１２０  吸着板
１２０ｘ，１２０ｙ  円板部
１２１  吸着孔
１２１ｘ，１２１ｙ  貫通孔
１２３  金網
【図１】
0003224225.tif 000003
【図２】
0003224225.tif 000004
【図３】
0003224225.tif 000005